(57)【要約】      （修正有）【課題】一般的な血流調節ベルトは、全体が厚いベルト帯でつくられているため、これを使用した場合、ベルトに厚さがあるために、腕の場合にはベルトを付けた腕の付け根に近い部分が身体の脇の下と接触し、また、足の場合にはベルトを付けた両足の付け根に近い部分の内側が接触し、運動をする場合に支障をきたし、違和感がある。本発明は、血流調節ベルトに厚いベルト帯の部分と薄いベルト帯のみの部分を設け、薄いベルト帯のみの部分を腕の付け根に近い部分や両足の付け根に近い部分に配置して使用することによりこの不具合を改善するものである。【解決手段】血流調節ベルトに厚いベルト帯の部分と薄いベルト帯のみの部分を設け、厚いベルト帯の部分の長さと薄いベルト帯のみの部分の長さの比が１０：３〜４であることを特長とした血流調節ベルト。【選択図】図１
2020018487.tif 000002
【特許請求の範囲】
【請求項１】
血流調節ベルトに厚いベルト帯の部分と薄いベルト帯のみの部分を設けた構造を特長とする血流調節ベルト。
【請求項２】
厚いベルト帯の部分の長さと薄いベルト帯のみの部分の長さの比が１０：３〜４であることを特長とする請求項１における血流調節ベルト。
【発明の詳細な説明】
【技術分野】
【０００１】
本発明は、加圧トレーニング（商標）で使用する血流調節ベルトに関するものである。
【背景技術】
【０００２】
これまでいくつかの血流調節ベルトに関する考案が公開されている。
【先行技術文献】
【特許文献】
【０００３】
【特許文献１】再公表２００９−１２８５６９
【非特許文献】
【０００４】
【非特許文献１】登録実用新案第３１９１２７４号
【発明の概要】
【発明が解決しようとする課題】
【０００５】
血流調節ベルトは、腕や足の付け根に近い部分をベルトで締め付け血流を制限する目的で使用されるため、一般的にはある程度の厚さを有する弾力性のある素材で作られるが、これを使用した場合、ベルトに厚さがあるために、腕の場合には付け根に近い部分が身体の脇の下と接触し、また、足の場合には、両足の付け根に近い部分の内側が接触し、運動をする場合に支障をきたし違和感がある。本発明はこの問題点を解決するものである。
【課題を解決するための手段】
【０００６】
血流調節ベルトに厚いベルト帯の部分と薄いベルト帯のみの部分を設け、厚いベルト帯の部分の長さと薄いベルト帯のみの部分の長さの比が１０：３〜４であることを特長とした血流調節ベルト。
【発明の効果】
【０００７】
本発明により、血流調節ベルト使用時の違和感をなくすことが可能となる。
【図面の簡単な説明】
【０００８】
【図１】本発明の外観斜視図
【図２】既存一般品の外観斜視図
【図３】本発明の分解外観斜視図
【図４】本発明の外観斜視図
【図５】本発明の別の実施例を示す外観斜視図
【図６】図５の分解斜視図
【図７】既存一般品と本発明の試作品を示す図
【発明を実施するための形態】
【０００９】
本発明は、バックル（１）および薄いベルト帯（２）および厚いベルト帯（３）および
面ファスナー（雄）（４）および面ファスナー（雌）（５）および留め具（６）および回転体（７）よりなっている。バックル（１）は、金属やプラスチックなど任意の素材でつくられ、形状は任意であるが、一般的には図１で示されるような四角型をしている。ベルトを腕や足に巻き付けて、バックル（１）に通して折り返し、締め付けることができる構造のものであればよい。薄いベルト帯（２）は、引張強度が強く柔軟性のある任意の素材でつくられ、若干の弾性を有している。素材は任意であるが、ゴムでは天然ゴム、合成天然ゴム、スチレンブタジエンゴム、ブタジエンゴム、クロロプレンゴム、ブチルゴム、ニトリルゴム、エチレン・プロピレンゴム、クロロスルホン化ポリエチレンゴム、アクリルゴム、ウレタンゴム、シリコーンゴム、フッ素ゴム、多流加ゴムなどがある。その他、ナイロン繊維やポリエステル繊維などで織り込んだ布状のものや網目状のものなどでもよい。また、任意の樹脂を布や不織布などに含侵させて硬化させたものなどでも良い。引張強度が強く柔軟性のあるものなら何でも利用できる。厚いベルト帯（３）は、薄いベルト帯（２）より長さは短く、引張強度が強く柔軟性を有し適度な弾性を持つ任意の素材でつくられており、薄いベルト帯（２）の片面に、接着剤、縫製などの取り付け手段により取り付けられている。厚いベルト帯（３）の素材は任意であるが、ゴムでは天然ゴム、合成天然ゴム、スチレンブタジエンゴム、ブタジエンゴム、クロロプレンゴム、ブチルゴム、ニトリルゴム、エチレン・プロピレンゴム、クロロスルホン化ポリエチレンゴム、アクリルゴム、ウレタンゴム、シリコーンゴム、フッ素ゴム、多流加ゴムなどがある。その他、ナイロン繊維やポリエステル繊維などで織り込んだ布状のものや網目状のものなどでもよい。また、任意の樹脂を布や不織布などに含侵させて硬化させたものなどでも良い。面ファスナー（雄）（４）および面ファスナー（雌）（５）は、厚いベルト帯（３）が取り付けられている面とは反対側の薄いベルト帯（２）の片面に接着剤、縫製などの取り付け手段により取り付けられている。構造的には、図１で示すように薄いベルト帯（２）の片面に厚いベルト帯（３）が取り付けられ、この反対側の片面に面ファスナー（雄）（４）および面ファスナー（雌）（５）が取り付けられている。これにより、厚いベルト帯（３）と面ファスナー（雄）（４）および面ファスナー（雌）（５）がそれぞれ取り付けられ３重構造となった厚いベルト帯の部分aと薄いベルト帯（２）のみの部分ｂができる。この厚いベルト帯の部分aと薄いベルト帯（２）のみの部分ｂの長さは任意であるが、aとｂの比は、１０：３〜４となるのが望ましい。本発明使用時には、このbの部分を腕や足の付け根に近い部分の内側に充てることにより、違和感がなくなり、快適に運動を行うことが可能となる。回転体（７）は、バックル（１）に設けられており回転する。本発明のベルトをバックル（１）にくぐらせ、ベルトを折り返して締め付ける時に回転して締め付けを容易くする。回転体（７）は、金属やプラスチックなど任意の素材で製造できる。図３は、本発明の分解外観斜視図を示している。薄いベルト帯（２）の先端は、バックル（１）に留め具（６）��より取り付けられている。これは縫製などの取り付け手段で取り付けても良い。本発明の幅と長さは、任意であるが一般的には、腕用で、幅が３〜４ｃｍ程度、長さが４５〜５０ｃｍ程度、足用で、幅が４〜５ｃｍ程度、長さが７５〜８０ｃｍ程度である。厚さは任意であるが、厚いベルト帯の部分が３〜４ｍｍ程度、薄いベルト帯のみの部分が、０．５〜１ｍｍ程度が望ましい。血流調節ベルトの使い方は、面ファスナーが外側になるように腕や足に巻き付けて、バックル（１）をくぐらせ、ベルトを折り返してベルトの先端部分に設けられている面ファスナー（雄）（４）を面ファスナー（雌）（５）に押し付けて固定する。加圧トレーニング（商標）は、１９６６年に佐藤義昭氏により発明されたトレーニング方法で、腕や足の付け根部分をベルトで締め付けて血流を制限した状態で運動し、運動後にこのベルトを外して血流を元に戻す方法である。血流を制限した状態で運動すると、体内に乳酸が高濃度で溜まり、運動後にベルトを外し血流を開放すると、この乳酸が一気に体内に流れていき、それに脳下垂体が反応し、成長ホルモンが分泌されるというもので、アンチエイジング効果などが促進されるというものである。加圧トレーニング（商標）では、ダイエット、筋力アップ、血行促進、若返り・美肌、回復力アップ、諸症状改善などが期待できるとされている。腕や足の付け根に近い部分を締め付け、適度に血流制限することにより、低負荷のトレーニングでも高負荷のトレーニングと同様の効果が短期間・短時間で得られるというのがこのトレーニングの理論である。これまでに一般的に使用されている血流調節ベルトは、図２で示されるように全体が厚いベルト帯（３）のみでつくられている。しかしながら、これを使用した場合、ベルトに厚さがあるために、腕の場合にはベルトを付けた腕の付け根に近い部分が身体の脇の下と接触し、また、足の場合にはベルトを付けた両足の付け根に近い部分の内側が接触し、運動をする場合に支障をきたし、違和感がある。本発明は、血流調節ベルトに厚いベルト帯の部分と薄いベルト帯のみの部分を設け、薄いベルト帯（２）のみの部分を腕の付け根に近い部分や足の付け根に近い部分に配置して使用することによりこの不具合を改善するものである。
【実施例１】
【００１０】
本発明は、バックル（１）および薄いベルト帯（２）および厚いベルト帯（３）および
面ファスナー（雄）（４）および面ファスナー（雌）（５）および留め具（６）および回転体（７）よりなっている。バックル（１）は、金属やプラスチックなど任意の素材でつくられ、形状は、任意であるが、一般的には図１で示されるような四角楕円型をしている。ベルトを腕や足に巻き付けて、バックル（１）に通して折り返し、締め付けることができる構造のものであればよい。薄いベルト帯（２）は、引張強度が強く柔軟性のある任意の素材でつくられ、若干の弾性を有している。素材は任意であるが、ゴムでは天然ゴム、合成天然ゴム、スチレンブタジエンゴム、ブタジエンゴム、クロロプレンゴム、ブチルゴム、ニトリルゴム、エチレン・プロピレンゴム、クロロスルホン化ポリエチレンゴム、アクリルゴム、ウレタンゴム、シリコーンゴム、フッ素ゴム、多流加ゴムなどがある。その他、ナイロン繊維やポリエステル繊維などで織り込んだ布状のものや網目状のものなどでもよい。また、任意の樹脂を布や不織布などに含侵させて硬化させたものなどでも良い。引張強度が強く柔軟性のあるものなら何でも利用できる。厚いベルト帯（３）は、薄いベルト帯（２）より長さは短く、引張強度が強く柔軟性を有し適度な弾性を持つ任意の素材でつくられており、薄いベルト帯（２）の片面に、接着剤、縫製などの取り付け手段により取り付けられている。厚いベルト帯（３）の素材は任意であるが、ゴムでは天然ゴム、合成天然ゴム、スチレンブタジエンゴム、ブタジエンゴム、クロロプレンゴム、ブチルゴム、ニトリルゴム、エチレン・プロピレンゴム、クロロスルホン化ポリエチレンゴム、アクリルゴム、ウレタンゴム、シリコーンゴム、フッ素ゴム、多流加ゴムなどがある。面ファスナー（雄）（４）および面ファスナー（雌）（５）は、厚いベルト帯（３）が取り付けられている面とは反対側の薄いベルト帯（２）の片面に接着剤、縫製などの取り付け手段により取り付けられている。構造的には、図１で示すように薄いベルト帯（２）の片面に厚いベルト帯（３）が取り付けられ、この反対側の片面に面ファスナー（雄）（４）および面ファスナー（雌）（５）が取り付けられている。回転体（７）は、バックル（１）に設けられており回転する。本発明のベルトをバックル（１）にくぐらせ、ベルトを折り返して締め付ける時に回転して締め付けを容易くする。回転体（７）は、金属やプラスチックなど任意の素材で製造できる。図３は、本発明の分解外観斜視図を示している。薄いベルト帯（２）の先端は、バックル（１）に留め具（６）より取り付けられている。これは縫製などの取り付け手段で取り付けても良い。図４で示されている薄いベルト帯（２）の両面に厚いベルト帯（３）と面ファスナー（雄）（４）および面ファスナー（雌）（５）がそれぞれ取り付けられ３重構造となった厚いベルト帯の部分の長さaと薄いベルト帯（２）のみの部分ｂの長さの比は任意であるが、この比は１０：３〜４が望ましい。血流調節ベルト使用時に、このbの部分を腕や足の付け根に近い部分の内側に充てることにより、違和感がなくなり、快適に運動を行うことが可能となる。加圧トレーニング（商標）は、腕や足の付け根に近い部分をベルトで締め付けて血流を制限した状態で運動し、運動後にこのベル���を外して血流を元に戻すもので、この時に成長ホルモンが分泌されアンチエイジング効果が促進されるというものである。これまでに一般的に使用されている血流調節ベルトは、図２で示されるように全体が厚いベルト帯（３）のみでつくられている。しかしながら、これを使用した場合、ベルトに厚さがあるために、腕の場合にはベルトを付けた腕の付け根に近い部分が身体の脇の下と接触し、また、足の場合にはベルトを付けた両足の付け根に近い部分の内側が接触し、運動をする場合に支障をきたし、違和感がある。本発明は、血流調節ベルトに厚いベルト帯の部分と薄いベルト帯のみの部分を設け、薄いベルト帯（２）のみの部分を腕の付け根に近い部分や足の付け根に近い部分に配置して使用することによりこの不具合を改善するものである。図７に一般的な腕用の血流調節ベルトおよび本発明試作品の例を掲げた。本発明の幅と長さは、任意であるが一般的には、腕用で、幅が３〜４ｃｍ程度、長さが４５〜５０ｃｍ程度、足用で、幅が４〜５ｃｍ程度、長さが７５〜８０ｃｍ程度である。厚さは任意であるが、厚いベルト帯の部分が３〜４ｍｍ程度、薄いベルト帯のみの部分が、０．５〜１ｍｍ程度が望ましい。血流遮断ベルトの使い方は、面ファスナーが外側になるように腕や足に巻き付けて、バックル（１）をくぐらせ、ベルトを折り返して腕や足を締め付け、ベルトの先端部分に設けられている面ファスナー（雄）（４）を面ファスナー（雌）（５）に押し付けて固定する。なを、図１で、面ファスナー（雄）（４）と面ファスナー（雌）（５）を取り付ける位置を逆にしても、同じ機能を有する。
【実施例２】
【００１１】
図５は、本発明の別の実施例を示している。この場合は、薄いベルト帯（２）の片面に、厚いベルト帯（３）が接着剤、縫製などの取り付け手段により取り付けられ、更にその表面に面ファスナー（雄）（４）および面ファスナー（雌）（５）が接着剤、縫製などの取り付け手段によりそれぞれ取り付けられている。すなわち、薄いベルト帯（２）の片面に厚いベルト帯（３）と面ファスナー（雄）（４）および面ファスナー（雌）（５）が重ねられて取り付けられている例を示している。図６は、この実施例の一部分解外観斜視図を示している。この場合も血流調節ベルトとして同様に使用できる。
【産業上の利用可能性】
【００１２】
本発明は、工業的に量産することが可能であるため、産業上の利用可能性を有する。
【符号の説明】
【００１３】
１    バックル
２    薄いベルト帯
３    厚いベルト帯
４    面ファスナー（雄）
５    面ファスナー（雌）
６    留め具
７    回転体
a    厚いベルト帯の部分の長さ
b    薄いベルト帯のみの部分の長さ
【図１】
2020018487.tif 000003
【図２】
2020018487.tif 000004
【図３】
2020018487.tif 000005
【図４】
2020018487.tif 000006
【図５】
2020018487.tif 000007
【図６】
2020018487.tif 000008
【図７】
2020018487.tif 000009